(57)【特許請求の範囲】
【請求項１】
楽曲データ、楽曲データの属性を示す属性データおよび楽曲データに対応する画像データを記憶する記憶手段と、
楽曲データを再生する再生手段と、
前記楽曲データに対応する画像データを表示する表示手段と、
楽曲データに対応する画像データが前記記憶手段に含まれているか否かを判別する判別手段と、
前記判別手段により画像データが未対応であると判別された未対応楽曲データの属性データに共通する属性データをもつ楽曲データを検索する検索手段と、
前記検索手段により検索された楽曲データに対応された画像データを抽出し、抽出された画像データに基づき画像データを加工し、当該加工された画像データを前記未対応楽曲データの画像データに対応させる加工手段とを有し、
前記加工手段は、複数の画像データが抽出され、かつ画像データに優先順位がある場合、優先順位が高い画像データが他の画像データよりも大きく表示されるように加工する、コンテンツデータ再生装置。
【請求項２】
前記優先順位は、楽曲データの再生頻度に基づき決定される、請求項１に記載のコンテンツデータ再生装置。
【請求項３】
前記検索手段は、一定数以上の楽曲データが検索された場合には、再生回数を基準に再生回数の多い楽曲ファイルを選択する、請求項１に記載のコンテンツデータ再生装置。
【請求項４】
前記加工手段は、画像データの顔認識処理を実行し、これにより抽出された顔画像を用いて画像データを作成する、請求項１に記載のコンテンツデータ再生装置。
【請求項５】
前記加工手段は、加工された画像データであることを示す識別情報を含む、請求項１に記載のコンテンツデータ再生装置。
【請求項６】
コンテンツデータ再生装置はさらに、楽曲データを検索する楽曲データ検索手段を有し、当該楽曲データ検索手段が実行されるとき、前記表示手段は、前記楽曲データに対応する画像データを表示する、請求項１に記載のコンテンツデータ再生装置。
【請求項７】
楽曲データ、楽曲データの属性を示す属性データおよび楽曲データに対応する画像データを記憶装置に記憶し、楽曲データの再生または検索時に、楽曲データに対応する画像データを記憶装置から読出し、読み出した画像データを表示する機能を備えたコンテンツデータ再生装置における画像データの加工方法であって、
楽曲データに対応する画像データが前記記憶装置に含まれているか否かを判別する判別ステップと、
前記判別ステップにより画像データが未対応であると判別された未対応楽曲データの属性データに共通する属性データをもつ楽曲データを検索する検索ステップと、
前記検索ステップにより検索された楽曲データに対応された画像データを抽出し、抽出された画像データに基づき画像データを加工する加工ステップと、
当該加工された画像データを前記未対応楽曲データの画像データに対応させるステップとを有し、
前記加工するステップは、複数の画像データが抽出され、かつ画像データに優先順位がある場合、優先順位が高い画像データが他の画像データよりも大きく表示されるように加工する、画像データの加工方法。
【請求項８】
前記検索ステップは、一定数以上の楽曲データが検索された場合には、再生回数を基準に再生回数の多い楽曲ファイルを選択する、請求項７に記載の画像データの加工方法。
【請求項９】
楽曲データ、楽曲データの属性を示す属性データおよび楽曲データに対応する画像データを記憶装置に記憶し、楽曲データの再生または検索時に、楽曲データに対応する画像データを記憶装置から読出し、読み出した画像データを表示する機能を備えたコンテンツデータ再生装置が実行する画像データの加工プログラムであって、
楽曲データに対応する画像データが前記記憶装置に含まれているか否かを判別する判別ステップと、
前記判別ステップにより画像データが未対応であると判別された未対応楽曲データの属性データに共通する属性データをもつ楽曲データを検索する検索ステップと、
前記検索ステップにより検索された楽曲データに対応された画像データを抽出し、抽出された画像データに基づき画像データを加工する加工ステップと、
当該加工された画像データを前記未対応楽曲データの画像データに対応させるステップとを有し、
前記加工するステップは、複数の画像データが抽出され、かつ画像データに優先順位がある場合、優先順位が高い画像データが他の画像データよりも大きく表示されるように加工する、画像データの加工プログラム。
【請求項１０】
前記検索ステップは、一定数以上の楽曲データが検索された場合には、再生回数を基準に再生回数の多い楽曲ファイルを選択する、請求項９に記載の画像データの加工プログラム。
【発明の詳細な説明】
【技術分野】
【０００１】
本発明は、コンテンツデータを再生するコンテンツデータ再生装置に関し、特に、楽曲データの再生または検索時に、楽曲データに対応する画像（例えば、ジャケット写真）を表示する技術に関する。
【背景技術】
【０００２】
デジタルオーディオプレーヤー（以下、ＤＡＰと称す）は、デジタル方式のオーディオデータを再生する装置であり、ＣＤ、ＤＶＤ、半導体メモリなどの外部メディアから取り込んだ楽曲データや、ネットワーク上の音楽配信サイト等からダウンロードした楽曲データをメモリに記録し、これを再生する機能を備えている。さらに、ＤＡＰは、再生中の楽曲データに関連したアーティスト名やタイトルなどの属性データや、アルバムのジャケット写真などの画像を液晶ディスプレイに表示する機能を備えている。こうした背景から、車載機器に対しても、楽曲データの再生中に、再生している楽曲のジャケット写真などを表示する需要が高まっている。
【０００３】
特許文献１は、再生中の楽曲データに対応するジャケット写真の画像がない場合に、再生中の楽曲データのジャンルをイメージさせるようなイメージ画像をテーブルから読出し、このイメージ画像を表示する技術を開示している。
【０００４】
【特許文献１】特開２００６−２１６２０１号公報
【発明の開示】
【発明が解決しようとする課題】
【０００５】
車載用オーディオ装置には、外部メディアに記録された楽曲データをメモリに取り込むリッピング機能が設けられている。このリッピング機能は、アーティスト名やテキスト情報を、タグ情報やＣＤＤＢから取得することができるが、ＣＤのジャケット写真やアルバム画像を取り込むことができない。このため、ジャケット等の画像データを、その都度、ネットワークの音楽配信サイトからユーザが取得しなければならず、その作業は煩雑である。他方、ディスプレイにジャケット写真等の画像が何も表示されないと、エンターテイメント性に欠け、魅力のない表示になってしまう。また、昔のアルバムやインディーズアルバムの場合には、必ずしもジャケット写真やアルバム画像を音楽配信サイトから入手できるとは限らない。
【０００６】
図１（ａ）は、車載用オーディオ装置において楽曲データを再生するときのディスプレイの表示例である。ディスプレイ１には、アーティスト、アルバム、タイトル、曲順などを表示する属性情報表示領域２が表示されるとともに、画像表示領域４には、楽曲に対応するジャケット写真またはアルバム画像が表示されている。もし、ジャケット写真やアルバム画像がない場合には、画像表示領域４には、「Ｎｏ Ｉｍａｇｅ」が表示される。
【０００７】
さらに、近年の車載用オーディオ装置には、画像表示領域４に表示される画像を利用したイメージ検索機能が設けられている。上記のように、画像表示領域４に「Ｎｏ Ｉｍａｇｅ」が表示されると、その検索機能が十分に発揮されないという課題もある。
【０００８】
本発明は、上記従来の課題を解決し、画像データが対応されていない楽曲データに対して画像データを対応させることができるコンテンツデータ再生装置を提供することを目的とする。
【課題を解決するための手段】
【０００９】
本発明に係るコンテンツデータ再生装置は、楽曲データ、楽曲データの属性を示す属性データおよび楽曲データに対応する画像データを記憶する記憶手段と、楽曲データを再生する再生手段と、前記楽曲データに対応する画像データを表示する表示手段と、楽曲データに対応する画像データが前記記憶手段に含まれているか否かを判別する判別手段と、前記判別手段により画像データが未対応であると判別された未対応楽曲データの属性データに共通する属性データをもつ楽曲データを検索する検索手段と、前記検索手段により検索された楽曲データに対応された画像データを抽出し、抽出された画像データに基づき画像データを加工し、当該加工された画像データを前記未対応楽曲データの画像データに対応させる加工手段とを有する。
【００１０】
好ましくは前記加工手段は、抽出された画像データを縮小し、縮小した画像データを複数含む画像データを作成する。また、前記加工手段は、抽出された画像データから人物像を抽出し、抽出した人物像を用いて画像データを作成することもできる。さらに前記加工手段は、加工された画像データであることを示す識別情報を含むことができる。例えば識別情報は、検索された画像データの背景色と異なる背景色である。
【００１１】
好ましくは前記表示手段は、前記再生手段により楽曲データが再生されるとき、再生された楽曲データに対応する画像データを表示する。コンテンツデータ再生装置はさらに、楽曲データを検索する楽曲データ検索手段を有し、当該楽曲データ検索手段が実行されるとき、前記表示手段は、前記楽曲データに対応する画像データを表示するようにしてもよい。
【００１２】
本発明に係る画像データの加工方法またはプログラムは、楽曲データ、楽曲データの属性を示す属性データおよび楽曲データに対応する画像データを記憶装置に記憶し、楽曲データの再生または検索時に、楽曲データに対応する画像データを記憶装置から読出し、読み出した画像データを表示する機能を備えたコンテンツデータ再生装置において実行されるものであり、楽曲データに対応する画像データが前記記憶装置に含まれているか否かを判別する判別ステップと、前記判別ステップにより画像データが未対応であると判別された未対応楽曲データの属性データに共通する属性データをもつ楽曲データを検索する検索ステップと、前記検索ステップにより検索された楽曲データに対応された画像データを抽出し、抽出された画像データに基づき画像データを加工する加工ステップと、当該加工された画像データを前記未対応楽曲データの画像データに対応させるステップとを有する。
【発明の効果】
【００１３】
本発明によれば、未対応楽曲データが判別されたとき、属性データが共通する他の楽曲データの画像データを加工して未対応楽曲データに画像データを対応させるようにしたので、楽曲データの再生時に画像データを表示することができる。これにより、従来のように画像データをネットワーク配信等から取得するような煩雑な作業を削除することができ、ユーザの仕様満足度が向上される。また、楽曲データの検索時にも画像データが表示されるため、検索機能を十分に発揮させることができる。さらに画像データを加工することでオリジナルの画像データと異なることを容易に認識することができる。
【発明を実施するための最良の形態】
【００１４】
本発明の最良の実施の形態について図面を参照して詳細に説明する。本実施の形態では、外部メディアに記録された楽曲データ等をリッピングする機能を備えた車載用オーディオ装置を例示する。車載用オーディオ装置は、ＨＤＤ（ハードディスク記憶装置）またはメモリ等へリッピングした楽曲データやＣＤ再生から読み出された楽曲データなどを再生する際に、ジャケット写真やアルバム画像等の画像データを内部にもっていない場合、同じアーティストの他のＣＤジャケット写真等の画像データを加工し、アーティストイメージとして生成し、これを表示する。
【実施例】
【００１５】
本実施例に係る車載用オーディオ装置１０は、タッチパネルやリモコン、入力キーなどから入力を行う入力部２０と、外部メディア等を接続する外部インターフェース（以下、外部Ｉ／Ｆと称す）３０と、楽曲データの属性情報やＣＤ等のジャケット写真やアルバム画像等の画像データを表示する表示部４０と、オーディオデータを再生し出力する再生出力部５０と、楽曲データ等を記憶する記憶部６０と、プログラムを格納するプログラムメモリ７０と、データを一時的に記憶するデータメモリ８０と、プログラムを実行し各部を制御する制御部９０とを含む。
【００１６】
外部Ｉ／Ｆ３０は、有線ケーブル、無線ＬＡＮ、赤外線通信機、ブルートゥースなどを利用して、半導体メモリ、携帯用端末等の外部メディアを接続することができる。外部Ｉ／Ｆ３０に接続された外部メディアの楽曲データ等は、リッピング機能により記憶部６０に格納することができる。さらにネットワークを介して音楽配信サイトから楽曲データ等をダウンロードするようにすることも可能である。
【００１７】
表示部４０は、後述するように、楽曲データの再生時に、再生する楽曲データの属性データを表示したり、対応するジャケット写真を表示する。さらに、アルバム単位の検索を行うとき、アルバムのジャケット写真を連続的に流れるように表示する。
【００１８】
再生出力部５０は、車載用オーディオ装置に設けられているＣＤ、ＤＶＤドライブから読み出された楽曲データの再生に加えて、記憶部６０に記憶された楽曲データを再生する。再生された楽曲は、スピーカから音声出力される。
【００１９】
図３（ａ）は、記憶部６０のデータ構造の例を示している。同図に示すように、記憶部６０は、楽曲ファイル１００とその下層に楽曲データ１１０、画像データ１２０、属性データ１３０を階層構造で記憶している。楽曲ファイル１００は、１つの楽曲データを記憶するものであってもよいし、複数の楽曲データを記憶するものであってもよい。また、楽曲ファイル１００は、アルバム単位で作成されるものであってもよいし、ユーザのプレイリストに応じて作成されるものであってもよい。図３（ａ）では、説明を分かり易くするため、１つの楽曲データを例示している。
【００２０】
楽曲データ１１０は、オーディオ信号であり、ＭＰ３やＷＡＶ等の圧縮された信号であってもよい。画像データ１２０は、楽曲データ１１０に対応する画像であり、例えば、当該楽曲が収録されているアルバムのジャケット写真のイメージデータが対応付けされている。但し、画像データが対応されていない場合には、本実施例により加工された画像データが対応付けされることになる。
【００２１】
属性データ１３０は、さらに、アーティストデータ１３１、アルバムデータ１３２、タイトルデータ１３３、曲順データ１３４、ジャンルデータ１３５等を含む。
【００２２】
図３（ｂ）は、他のデータ構造例である。この例は、楽曲データ、属性データ、画像データをそれぞれ関連付けする対応テーブルを用意し、対応テーブルには、それぞれのデータの格納先アドレスが保持されている。例えば、楽曲データＡであれば、その画像データはＡＤＤ＃１００に格納され、属性データはＡＤＤ＃２００に格納される。
【００２３】
図４は、楽曲ファイルの一例である。例えば、楽曲ファイル＃０１は、楽曲データ「ＡＵＤ０１」、画像データ「ＶＶＶ」を含み、その属性データとして、アーティストデータ「Ａｒｔ０１」、アルバムデータ「Ａｌｂ０１」、タイトルデータ「Ｔｉｔ０１」、曲順データ「Ｏｒｄ０１」、ジャンルデータ「ＰＯＰＳ」を含む。なお、楽曲ファイル＃Ｋ、＃Ｌは、対応する画像データを含んでいない。
【００２４】
プログラムメモリ７０には、楽曲データを再生する再生プログラム、画像データや属性データをディスプレイに出力する出力プログラム、対応する画像データがないとき記憶部に記憶された画像データを利用して画像データを加工する画像データ加工プログラム１５０と、記憶部６０に格納されている複数の楽曲ファイルから特定の楽曲ファイルを検索する検索プログラムなどを含む。データメモリ８０は、記憶部６０から読み出した楽曲ファイルのデータや、加工した画像データ等を記憶する。
【００２５】
図５は、画像データ加工プログラムの機能ブロック図である。画像データ加工プログラム１５０は、未対応楽曲データ判別部１５２と、属性データ選択部１５４と、属性データ検索部１５６と、画像データ抽出部１５８と、画像データ加工部１６０とを含む。
【００２６】
未対応楽曲データ判別部１５２は、楽曲データに対応する画像データが含まれているか否かを判別する。この判別対象は、記憶部６０に記憶されている楽曲データのみならず、ＣＤやＤＶＤ、あるいは外部メディアの楽曲データである。
【００２７】
属性データ選択部１５４は、未対応楽曲データ判別部１５２によって楽曲データに対応する画像データが含まれていないと判別結果を受け取ると、当該未対応楽曲データの属性データを選択する。属性データには、幾つかのデータが含まれるが、好ましい例では、アーティストデータを選択する。勿論、アーティストデータに加えてジャンルデータやアルバムデータなどの他の属性データを一緒に選択してもよい。属性データの選択は、初期設定により決定され、あるいはユーザ設定により変更することができる。
【００２８】
属性データ検索部１５６は、選択された属性データと一致する属性データを記憶部６０から検索する。選択された属性データが複数（アーティストデータとジャンルデータ）であるとき、全ての属性データが一致するものを検索するようにしてもよいし、全てが一致しないときには、優先順位をつけられた一部の属性データ（アーティストデータ）が一致するものを検索するようにしてもよい。
【００２９】
画像データ抽出部１５８は、属性データ検索部１５６の検索結果を受けて、共通の属性データを含む他の楽曲ファイルの画像データを抽出する。
【００３０】
画像データ加工部１６０は、画像データ抽出部１５８によって抽出された画像データを利用して画像データの加工、作成を行い、作成された画像データを、未対応楽曲データに対応する画像データとして記憶部６０に記憶する。画像データの加工は、例えば抽出された画像データが複数あるとき、画像データを縮小しこれらを複数の画像データを合成したり、画像データの背景色を変更したり、画像データから人物像を抽出したりする。
【００３１】
次に、本実施例の車載用オーディオ装置における画像データの加工動作について図６のフローチャートを参照して説明する。ここでは、ＣＤなどからリッピングにより楽曲データが記憶部６０に保存されたときに、画像データを形成する例を説明する。
【００３２】
先ず、未対応楽曲データ判別部１５２は、記憶部６０の楽曲ファイル内の画像データを検索し、画像データが対応されていない未対応楽曲データを検索する（ステップＳ１０１）。例えば、図４の例であれば、楽曲ファイル＃Ｋ、＃Ｌが判別される。
【００３３】
未対応楽曲データ判別部１５２により未対応楽曲データが判別されると（ステップＳ１０２）、次に、属性データ選択部１５４は、未対応楽曲データの属性データを選択する（ステップＳ１０３）。例えば、アーティストが共通の画像データを作成する場合には、属性データとしてアーティストデータが選択され、ジャンルが共通する画像データを作成する場合にはジャンルデータが選択される。
【００３４】
次に、属性データ検索部１５６は、選択された属性データに一致する他の楽曲ファイルの属性データを検索する（ステップＳ１０４）。複数の属性データが選択された場合には、すべての属性データの一致を検索するか、一部の属性データの一致を検索する。図４の例において、楽曲ファイル＃Ｋの属性データとして、アーティストデータ「Ａｒｔ０１」が選択された場合、「Ａｒｔ０１」にこの属性データ一致する属性データをもつ楽曲ファイル＃０１と楽曲ファイル＃０２が検索される。また、楽曲ファイル＃Ｌの属性データとして、アーティストデータ「Ａｒｔ０１」とジャンルデータ「ＰＯＰＳ」が選択された場合、両者の属性データと共通の属性データをもつ楽曲ファイル＃０２が検索される。
【００３５】
共通の属性データを持つ楽曲ファイルが検索された場合、次のステップへ進み、共通の属性データを持つ他の楽曲ファイルが検索されない場合、属性データの検索条件を変えて再検索する（ステップＳ１０５）。例えば、最初にアーティストデータで検索し、これに該当する他の画曲ファイルが見つからない場合には、例えばジャンルデータで再検索する。
【００３６】
次に、属性データ検索部１５６の検索結果を受けた画像データ抽出部１５８は、検索された楽曲ファイルの画像データを抽出する（ステップＳ１０６）。この際、一定数以上の楽曲ファイルが検索された場合には、更新日時や再生回数などを基準として、最新の楽曲ファイルや回数の多い楽曲ファイルを選択し、楽曲ファイルの数を絞り込むようにしてもよい。あるいは、候補となる画像データを表示してユーザに選択させるようにしてもよい。
【００３７】
次いで、画像データ加工部１６０は、抽出した画像データを加工し、画像データを作成する（ステップＳ１０７）。そして、作成した画像データは、未対応楽曲データの画像データとして記憶部６０に保存される（ステップＳ１０８）。保存された画像データは、楽曲ファイルの再生または検索時に、図１に示す画像表示領域１４に対応付けされた画像データとして表示される。
【００３８】
なお、上記実施例では、未対応楽曲データへの画像データの加工をリッピングの際に行うようにしたが、これ以外のタイミングで画像データを加工してもよい。例えば、車載用オーディオ装置の起動時、ユーザから指示があったとき、楽曲ファイルを再生するとき等に行うようにしてもよい。さらに、ＣＤなどに記録された楽曲データを再生するときに、上記方法を用いて、記憶部から画像データを検索し、画像データを加工し、表示するようにしてもよい。この場合には、加工された画像データは、必ずしも記憶部６０に記憶する必要はなく、ＣＤの再生の終了と同時に消去される。
【００３９】
次に、画像データの加工例について説明する。図７（ａ）は、図４の楽曲ファイル＃Ｋの属性データとしてアーティストデータが選択されたときの画像データの加工例である。この場合、アーティストデータが一致する楽曲ファイル＃１と＃２の画像データ「Ｖ」と「Ｗ」が抽出され、画像データ加工部は、画像データを１／４サイズに縮小し、４つの画像データを合成した画像データ１７０を作成する。「Ｖ」と「Ｗ」の配列は並べても良いし、交互でもよい。また、画像データを１／２に縮小し、２つの画像データ「Ｖ」と「Ｗ」を合成してもよい。
【００４０】
図７（ｂ）は、楽曲ファイル＃Ｌについての画像データの加工例である。属性データとしてアーティストデータとジャンルデータが選択されたとき、楽曲ファイル＃２が検索され、その画像データ「Ｗ」が抽出される。画像データ加工部は、「Ｗ」を１／４サイズに縮小し、４つの画像データを合成した画像データ１７２を作成する。
【００４１】
図７（ｃ）に示す画像データ１７４は、３種類の画像データが抽出されたときの加工例である。図７（ｄ）に示す画像データ１７６は、４種類の画像データを加工するが、画像データに優先順位があるとき（例えば、楽曲ファイルの再生頻度やリッピングの最新の更新日時）、優先順位が高い画像データ「Ｖ」が他の画像データ「Ｘ」、「Ｙ」、「Ｚ」よりも大きく表示されるようにする。
【００４２】
図７（ｅ）に示す画像データ１７８は、図７（ｂ）の変形である。図７（ｂ）に示す画像データ１７２は、画像データが縮小して複数表示されるため、画像データを加工したものであることが認識されるが、図７（ｅ）では、画像データ「Ｗ」を縮小しない代わりに、その背景色（ハッチングで表示）を変更するものである。図７（ｆ）に示す画像データ１８０は、図７（ｂ）の変形であり、４つの画像データ「Ｗ」を縮小し、かつ背景色を変更したものである。これをより、画像データを加工したことがより識別される。なお、これらの加工は一例であり、画像データの表示サイズ、解像度などに応じて、倍率や配色等の加工を適宜変更することが可能であり、また、その変更はユーザによって設定できるようにしてもよい。
【００４３】
次に、画像データの他の加工例について説明する。アルバムのジャケット写真には、アーティスト本人の写真やアーティスト本人をデフォルメしたイラストが使われることが多い。アーティストイメージをもつ画像データを作成するには、アーティストの顔画像を用いることが望ましい。そこで、図８（ａ）に示すように抽出された画像データ１９０の顔認識処理を実行し、これにより顔画像１９２を抽出する。そして、抽出された顔画像１９２の倍率等を適宜選択し、図８（ｂ）に示すような加工された画像データ１９４を作成する。
【００４４】
顔認識とは、顔写真の画像データを画像解析することにより、画像の中から人間の顔を識別して抽出する技術である。具体的な方法としては、顔の外形、顔を構成する目・鼻・口・耳などのパーツの位置および形状、筋肉のつき方などを認識し、数値化する。この数値化された特徴から人間の顔か否かを判断し、人間の顔であれば顔部分のみを抽出する。
【００４５】
次に、楽曲ファイルの検索例について説明する。画像データは、楽曲データの再生中に、その再生情報とともにディスプレイに表示されるが、楽曲ファイルの検索に画像データを利用することができる。ユーザ入力によって属性データを選択し、選択された属性データに対応する楽曲ファイルの画像データを連続的に表示することで、所望の楽曲ファイルを検索（カバーフロー）することができる。
【００４６】
図９（ａ）は、属性データとしてアルバムを選択したときのアルバム検索画面２００を示している。アルバム検索画面２００には、選択されたアルバムに対応する画像データ２１０が一定の時間間隔でフロー表示され、ユーザは、その中から画像データを見てアルバムを選択する。図９（ｂ）は、属性データとしてアーティストを選択したときのアーティスト検索画面２２０を示し、図９（ｃ）は、属性データとしてジャンルを選択したときのジャンル検索画面２３０を示し、図９（ｄ）は、プレイリストを選択したときの検索画面２４０を示している。ここでのプレイリストは、楽曲データの再生順序をユーザが任意に決定したリストである。なお、属性データを選択しないときには、すべての楽曲データの画像データを順次表示することもできる。
【００４７】
このように本実施例によれば、楽曲データの再生中に、ジャケット写真が収まるスペースに、画像データが未対応である「ＮＯ  Ｉｍａｇｅ」を表示させずに、アーティストイメージを表示できるため、ユーザエンターテイメントを損なうことなく、仕様満足度を向上させることができる。また、カバーフローで検索するときに、ジャケット写真が収まるスペースに、「ＮＯ  Ｉｍａｇｅ」を表示させずに、アーティストイメージを表示できるため、アルバム内容を理解する手助けになり、利便性が向上される。さらに、カバーフローは、アルバム単位の検索であるが、アーティストフローとしてアーティスト単位での検索が可能となる。
【００４８】
以上、本発明の好ましい実施の形態について詳述したが、本発明は、特定の実施形態に限定されるものではなく、特許請求の範囲に記載された本発明の要旨の範囲内において、種々の変形・変更が可能である。
【図面の簡単な説明】
【００４９】
【図１】図１（ａ）はダウンロードした音楽の情報画像の例であり、図１（ｂ）はＣＤから取り込んだ音楽の情報画像の例である。
【図２】本発明の実施例に係る車載用オーディオ装置の構成を示すブロック図である。
【図３】図３（ａ）は本実施例に係る再生ファイルのデータ構造の例であり、図３（ｂ）は本実施例に係る再生ファイルのデータ構造の変形例である。
【図４】本実施例に係る再生ファイルの具体例である。
【図５】本実施例に係る画像データ加工プログラムの機能ブロック図である。
【図６】本実施例に係る画像データの加工動作のフローチャートである。
【図７】本発明の実施例に係る画像データの加工例を示す図である。
【図８】図８（ａ）は人物像を含む画像データであり、図８（ｂ）は本発明の第３の実施例に係る合成画像の例である。
【図９】本発明の実施例における楽曲ファイルの検索画面例であり、図９（ａ）はアルバム検索画面例、図９（ｂ）はアーティスト検索画面例、図９（ｃ）はジャンル検索画面例、図１１（ｄ）はプレイリスト検索画面例である。
【符号の説明】
【００５０】
１０：車載用オーディオ装置        ２０：入力部
３０：外部Ｉ／Ｆ                  ４０：表示部
５０：再生出力部                  ６０：記憶部
７０：プログラムメモリ            ８０：データメモリ
１００：楽曲ファイル              １１０：楽曲データ
１２０：画像データ                １３０：属性データ
１５０：合成画像                  ２００：アルバム検索画面
２２０：アーティスト検索画面      ２３０：ジャンル検索画面
２４０：プレイリスト検索画面
【図１】
0005234598.tif 000002
【図２】
0005234598.tif 000003
【図３】
0005234598.tif 000004
【図４】
0005234598.tif 000005
【図５】
0005234598.tif 000006
【図６】
0005234598.tif 000007
【図７】
0005234598.tif 000008
【図８】
0005234598.tif 000009
【図９】
0005234598.tif 000010